(57)【要約】【課題】柔軟性を有する表示部を用いる場合において、表示部の柔軟性を活かした画像の表示をより適切に行う。【解決手段】画像を表示する表示装置１０であって、画像を表示する表示部１２と、表示部１２に画像を表示させる表示制御部２１０と、表示部１２の少なくとも一部を収納可能な収納部１４と、表示部１２における非収納領域を検知する領域検知部２０４とを備え、表示部１２は、変形可能な柔軟性を有し、収納部１４は、表示部１２の少なくとも一部を変形させることにより、表示部１２の少なくとも一部を収納し、表示制御部２１０は、表示部において画像を表示する領域である表示領域を、領域検知部２０４が検知する非収納領域に合わせて設定する。【選択図】図２
2016218326.tif 000002
【特許請求の範囲】
【請求項１】
画像を表示する表示装置であって、
前記画像を表示する表示部と、
前記表示部に前記画像を表示させる制御を行う表示制御部と、
前記表示部の少なくとも一部を収納可能な収納部と、
前記表示部において前記収納部に収納されていない領域である非収納領域を検知する領域検知部と
を備え、
前記表示部は、変形可能な柔軟性を有し、
前記収納部は、前記表示部の少なくとも一部を変形させることにより、前記表示部の少なくとも一部を収納し、かつ、前記表示部において変形させる部分を異ならせることにより、前記表示部において前記収納部に収納される領域の大きさを異ならせ、
前記表示制御部は、前記表示部において前記画像を表示する領域である表示領域を、前記領域検知部が検知する前記非収納領域に合わせて設定することを特徴とする表示装置。
【請求項２】
前記収納部は、前記表示部の少なくとも一端側から前記表示部を巻き取ることにより、前記表示部の少なくとも一部を収納することを特徴とする請求項１に記載の表示装置。
【請求項３】
前記収納部は、前記表示部の少なくとも一部を折り畳むことにより、前記表示部の少なくとも一部を収納することを特徴とする請求項１に記載の表示装置。
【請求項４】
前記収納部は、円錐状の巻き取り芯の周囲に前記表示部の少なくとも一部を巻き取ることにより、前記表示部の少なくとも一部を収納することを特徴とする請求項１に記載の表示装置。
【請求項５】
前記収納部は、前記表示部の少なくとも一部を内部に収容する筐体部を有し、
前記非収納領域は、前記表示部において前記筐体部の外部に引き出されている部分であり、
前記領域検知部は、前記表示部において前記筐体部の外部に引き出されている量を検知することにより、前記非収納領域を検知することを特徴とする請求項１から４のいずれかに記載の表示装置。
【請求項６】
前記領域検知部は、前記非収納領域の大きさを検知し、
前記表示制御部は、前記表示部に表示すべき画像について、前記領域検知部が検知する前記非収納領域の大きさに応じた倍率で拡大又は縮小して、前記表示領域に表示させることを特徴とする請求項１から５のいずれかに記載の表示装置。
【請求項７】
前記表示部が設置されている向きを検知する設置方向検知部を更に備え、
前記表示制御部は、前記設置方向検知部が検知する前記表示部の向きに更に基づき、前記画像を拡大又は縮小する前記倍率を決定することを特徴とする請求項６に記載の表示装置。
【請求項８】
前記領域検知部は、前記非収納領域の大きさを検知し、
前記表示制御部は、前記表示部に表示すべき画像として、前記非収納領域の大きさとそれぞれ対応付けられた複数の画像である複数のサイズ対応画像を選択可能であり、前記領域検知部が検知する前記非収納領域の大きさに対応する前記サイズ対応画像を選択して、前記表示部に表示させることを特徴とする請求項１から７のいずれかに記載の表示装置。
【請求項９】
前記表示部は、バッテリから供給される電力を利用して前記画像を表示することを特徴とする請求項１から８のいずれかに記載の表示装置。
【請求項１０】
前記表示部は、ＥＬディスプレイであることを特徴とする請求項１から９のいずれかに記載の表示装置。
【請求項１１】
画像を表示する表示方法であって、
前記画像を表示する表示部と、
前記表示部の少なくとも一部を収納可能な収納部と
を備える表示装置を用い、
前記表示部は、変形可能な柔軟性を有し、
前記収納部は、前記表示部の少なくとも一部を変形させることにより、前記表示部の少なくとも一部を収納し、かつ、前記表示部において変形させる部分を異ならせることにより、前記表示部において前記収納部に収納される領域の大きさを異ならせ、
前記表示部に前記画像を表示させる制御を行う場合に、
前記表示部において前記収納部に収納されていない領域である非収納領域を検知し、
前記表示部において前記画像を表示する領域である表示領域を、検知された前記非収納領域に合わせて設定することを特徴とする表示方法。
【発明の詳細な説明】
【技術分野】
【０００１】
本発明は、表示装置及び表示方法に関する。
【背景技術】
【０００２】
従来、広告や各種の案内を表示する用途等で、静止画や動画等の画像を表示する表示装置（ディスプレイ装置）が広く用いられている。また、表示装置として、より具体的には、液晶ディスプレイが広く用いられている（例えば、非特許文献１参照）。
【先行技術文献】
【非特許文献】
【０００３】
【非特許文献１】インターネットURL  http://www.sharp.co.jp
【発明の概要】
【発明が解決しようとする課題】
【０００４】
近年、液晶とは異なる方法で画像を表示する構成として、ＥＬディスプレイ（例えば有機ＥＬディスプレイ等）の開発が進んでいる。ＥＬディスプレイは、バックライトが不要になるＥＬ（エレクトロルミネッセンス）方式で画像を表示するため、画像を表示する表示部に柔軟性を持たせることができる。また、これにより、変形可能なディスプレイを実現すること等が可能になる。
【０００５】
しかし、従来、柔軟性を有する表示部を用いる場合について、柔軟性を活かした表示部の使用方法が十分に検討されているとはいえない。そのため、柔軟性を有する表示部を用いる場合について、表示部の柔軟性をより適切に活用して画像の表示を行うことが望まれている。そこで、本発明は、上記の課題を解決できる表示装置及び表示方法を提供することを目的とする。
【課題を解決するための手段】
【０００６】
本願の発明者は、有機ＥＬディスプレイ等の柔軟な表示部を用いる表示装置の好ましい構成について、鋭意研究を行った。そして、先ず、柔軟な特性を利用して、表示装置を使用しない場合（不使用時）に表示部を変形させて小さく収納することを考えた。このように構成すれば、例えば、表示装置を片付ける場合等に、設置に必要な面積を低減することができる。
【０００７】
また、本願の発明者は、更なる鋭意研究により、表示部を収納する構成について、表示装置の不使用時のみではなく、画像を表示させる使用時にも活用することを考えた。より具体的には、例えば、使用する状況等に応じて、表示部の一部のみを収納して、収納されていない部分を利用して画像を表示すること等を考えた。そして、そのような場合に特に好ましい構成として、単に表示部を収納可能にするのみではなく、表示部において収納されていない領域である非収納領域を検知して、例えば、非収納領域のみに画像を表示すること等を考えた。すなわち、上記の課題を解決するために、本発明は、以下の構成を有する。
【０００８】
（構成１）画像を表示する表示装置であって、画像を表示する表示部と、表示部に画像を表示させる制御を行う表示制御部と、表示部の少なくとも一部を収納可能な収納部と、表示部において収納部に収納されていない領域である非収納領域を検知する領域検知部とを備え、表示部は、変形可能な柔軟性を有し、収納部は、表示部の少なくとも一部を変形させることにより、表示部の少なくとも一部を収納し、かつ、表示部において変形させる部分を異ならせることにより、表示部において収納部に収納される領域の大きさを異ならせ、表示制御部は、表示部において画像を表示する領域である表示領域を、領域検知部が検知する非収納領域に合わせて設定する。
【０００９】
このように構成した場合、例えば、画像の表示領域を非収納領域に合わせて適切に設定できる。また、例えば、表示部において収納部に収納する領域を様々に異ならせた場合にも、非収納領域の大きさに合わせた画像の表示をより適切に行うことができる。また、これにより、例えば、表示装置を使用する状況等に合わせた画像の表示をより適切に行うことができる。
【００１０】
また、この場合、非収納領域に合わせて表示領域を設定することにより、表示部の全体の中から、必要な領域のみを選択して画像を表示することができる。そのため、このように構成すれば、例えば、柔軟な表示部を用いる場合において、消費電力を抑えて、より適切に画像を表示することができる。また、これにより、例えば、柔軟性を有する表示部を用いる場合において、表示部の柔軟性を活かした画像の表示をより適切に行うことができる。
【００１１】
尚、領域検知部は、非収納領域を、例えば、直接的又は間接的に検知する。また、この構成において、表示領域を非収納領域に合わせて設定するとは、例えば、非収納領域の大きさに応じた大きさの表示領域を設定することである。より具体的に、表示制御部は、例えば、非収納領域内に表示領域を設定する。この場合、表示制御部は、例えば、非収納領域がより大きい場合に表示領域がより大きくなるように、表示領域を設定する。また、表示制御部は、非収納領域の全体を表示領域に設定してもよい。
【００１２】
（構成２）収納部は、表示部の少なくとも一端側から表示部を巻き取ることにより、表示部の少なくとも一部を収納する。このように構成すれば、例えば、表示部を適切に収納することができる。
【００１３】
収納部は、例えば、表示部の一端側からのみ表示部を巻き取ってもよく、一端側及び他端側の両端からそれぞれ表示部を巻き取ってもよい。また、収納部は、例えば、表示部において巻き取られた部分を覆う筐体部を有することが好ましい。また、この筐体部としては、例えば、筒状の部材等を好適に用いることができる。
【００１４】
（構成３）収納部は、表示部の少なくとも一部を折り畳むことにより、表示部の少なくとも一部を収納する。このように構成すれば、例えば、表示部を適切に収納することができる。
【００１５】
（構成４）収納部は、円錐状の巻き取り芯の周囲に表示部の少なくとも一部を巻き取ることにより、表示部の少なくとも一部を収納する。このように構成すれば、例えば、表示部を適切に収納することができる。
【００１６】
（構成５）収納部は、表示部の少なくとも一部を内部に収容する筐体部を有し、非収納領域は、表示部において筐体部の外部に引き出されている部分であり、領域検知部は、表示部において筐体部の外部に引き出されている量を検知することにより、非収納領域を検知する。
【００１７】
このように構成すれば、例えば、表示部を収納部により適切に収納できる。また、この場合、表示部において筐体部の外部に引き出されている量を検知することにより、表示領域をより適切に設定できる。
【００１８】
（構成６）領域検知部は、非収納領域の大きさを検知し、表示制御部は、表示部に表示すべき画像について、領域検知部が検知する非収納領域の大きさに応じた倍率で拡大又は縮小して、表示領域に表示させる。非収納領域の大きさに応じた倍率で画像を拡大又は縮小するとは、例えば、領域検知部が検知する非収納領域の大きさに基づき、非収納領域が所定の基準の大きさよりも大きい場合には画像を拡大し、非収納領域が所定の基準の大きさよりも小さい場合には画像を縮小することである。このように構成すれば、例えば、表示部による画像の表示をより適切に行うことができる。また、これにより、例えば、表示部の柔軟性を活かした画像の表示をより適切に行うことができる。
【００１９】
（構成７）表示部が設置されている向きを検知する設置方向検知部を更に備え、表示制御部は、設置方向検知部が検知する表示部の向きに更に基づき、画像を拡大又は縮小する倍率を決定する。このように構成すれば、例えば、表示部が設置されている向きに合わせて、画像をより適切に表示できる。
【００２０】
尚、表示部が設置されている向きを検知するとは、例えば、表示装置を視認する観察者に対する表示部の向きについて、縦向き又は横向きのいずれであるかを検知すること等であってよい。また、表示制御部は、表示部が設置されている向きに合わせて、画像の向きを変更することが好ましい。この場合、例えば、画像の上下方向を観察者に合わせるように、画像を回転させることが考えられる。
【００２１】
（構成８）領域検知部は、非収納領域の大きさを検知し、表示制御部は、表示部に表示すべき画像として、非収納領域の大きさとそれぞれ対応付けられた複数の画像である複数のサイズ対応画像を選択可能であり、領域検知部が検知する非収納領域の大きさに対応するサイズ対応画像を選択して、表示部に表示させる。
【００２２】
このように構成した場合、例えば、非収納領域の大きさを変化させることにより、表示領域に表示する画像を切り替えること等が可能になる。また、これにより、例えば、収納部に表示部を収納する動作や、収納部から表示部を引き出す動作等に連動させて、画像を自動的に切り替えることができる。そのため、このように構成すれば、例えば、表示部の柔軟性を活かした画像の表示をより適切に行うことができる。
【００２３】
（構成９）表示部は、バッテリから供給される電力を利用して画像を表示する。このように構成すれば、例えば、表示装置を様々な場所で適切に使用できる。
【００２４】
また、この場合、上記のように、例えば、非収納領域に合わせて設定される表示領域に画像を表示することで、消費電力を適切に抑えることができる。そのため、このように構成すれば、バッテリを用いる場合において、画像の表示をより長時間行うこと等も可能になる。
【００２５】
（構成１０）表示部は、ＥＬディスプレイである。このように構成すれば、例えば、表示部に柔軟性を適切に持たせることができる。また、これにより、例えば、表示部の柔軟性を活かした画像の表示をより適切に行うことができる。
【００２６】
尚、ＥＬディスプレイとは、電力に応じて発光する物質を利用したディスプレイのことである。また、この場合、電力に応じて発光する物質とは、例えば、電圧をかけると発光する物質のことである。また、このような物質を利用したディスプレイとは、例えば、画像を表示する画面における画素をこのような物質で構成したディスプレイのことである。
【００２７】
また、ＥＬディスプレイにおいては、このように発光する物質を用いることにより、例えば、バックライト等の光源を用いることなく、画像を適切に表示することができる。また、バックライト等を用いないことにより、例えば、上記のように、表示部に柔軟性を適切に持たせることが可能になる。ＥＬディスプレイとしては、例えば、有機ＥＬディスプレイ等を好適に用いることができる。
【００２８】
（構成１１）画像を表示する表示方法であって、画像を表示する表示部と、表示部の少なくとも一部を収納可能な収納部とを備える表示装置を用い、表示部は、変形可能な柔軟性を有し、収納部は、表示部の少なくとも一部を変形させることにより、表示部の少なくとも一部を収納し、かつ、表示部において変形させる部分を異ならせることにより、表示部において収納部に収納される領域の大きさを異ならせ、表示部に画像を表示させる制御を行う場合に、表示部において収納部に収納されていない領域である非収納領域を検知し、表示部において画像を表示する領域である表示領域を、検知された非収納領域に合わせて設定する。このように構成すれば、例えば、構成１と同様の効果を得ることができる。
【発明の効果】
【００２９】
本発明によれば、例えば、柔軟性を有する表示部を用いる場合において、表示部の柔軟性を活かした画像の表示をより適切に行うことができる。
【図面の簡単な説明】
【００３０】
【図１】本発明の一実施形態に係る表示装置１０の一例を示す図である。図１（ａ）は、表示装置１０の構成の一例を示す図である。図１（ｂ）、（ｃ）は、表示装置１０の設置の仕方の一例を示す。
【図２】表示装置１０の機能構成の一例を示す図である。
【図３】非収納領域の大きさや向きを様々に異ならせた状態の例を示す図である。図３（ａ）、（ｂ）、（ｃ）は、非収納領域の大きさ又は向きをそれぞれ異ならせた状態の例を示す。
【図４】領域検知部２０４の具体的な構成及び検知の方法の例を示す図である。図４（ａ）は、領域検知部２０４の第１の例を示す。図４（ｂ）は、領域検知部２０４の第２の例を示す。図４（ｃ）は、領域検知部２０４の第３の例を示す。図４（ｄ）は、領域検知部２０４の第４の例を示す。
【図５】表示装置１０の構成の様々な変形例を示す図である。図５（ａ）〜（ｃ）は、両巻き型の表示装置１０の例を示す。図５（ｄ）は、デュアルディスプレイ型の表示装置１０の構成の例を示す。
【図６】表示装置１０の構成の更なる変形例を示す図である。図６（ａ）は、折り畳み方式で表示部１２を収納する場合の表示装置１０の構成の例を示す。図６（ｂ）〜（ｄ）は、円錐巻き取り方式で表示部１２を収納する場合の表示装置１０の構成の例を示す。
【発明を実施するための形態】
【００３１】
以下、本発明に係る実施形態を、図面を参照しながら説明する。図１は、本発明の一実施形態に係る表示装置１０の一例を示す。図１（ａ）は、表示装置１０の構成の一例を示す図であり、表示装置１０の特徴部分について、簡略化して示している。
【００３２】
本例において、表示装置１０は、画像データに基づいて画像を表示するディスプレイ装置であり、例えば広告用の画像や、各種の案内等を表示する。また、本例において、表示装置１０は、少なくとも、表示部１２及び収納部１４を備える。
【００３３】
尚、表示装置１０は、表示部１２及び収納部１４以外に、例えば電力供給や画像の表示を制御するための構成等を更に備える。これらの構成については、後に更に詳しく説明をする。また、上記及び以下に説明をする点を除き、表示装置１０は、公知の表示装置と同一又は同様の特徴を有してよい。また、表示装置１０が表示する画像は、動画であってもよく、静止画であってもよい。また、画像を表示させるための画像データは、例えば表示装置１０の内部に格納されているデータであってもよく、例えば外部のコンピュータ等から供給されるデータ等であってもよい。
【００３４】
表示部１２は、表示装置１０において画像を表示する画面を構成する部分である。また、本例において、表示部１２は、湾曲等の変形が可能な柔軟性を有するフレキシブルディスプレイであり、収納部１４に収納される収納時と、画像を表示する画像表示時とで、形状を変化させる。また、画像表示時においては、一部が収納部１４に収納された状態でも画像を表示可能であり、収納部１４に収納されていない部分である非収納領域の大きさに応じた画像の表示を行う。表示部１２による画像表示の制御については、後に更に詳しく説明をする。
【００３５】
表示部１２としては、例えば、公知のフレキシブルディスプレイを好適に用いることができる。この場合、フレキシブルディスプレイとは、柔軟に変形可能なディスプレイのことである。また、この場合、ディスプレイとは、画像表示装置の構成のうち、画像を表示する表示パネルの部分のことである。
【００３６】
また、より具体的に、表示部１２としては、電力に応じて発光する物質を利用したＥＬディスプレイ等を好適に用いることができる。また、ＥＬディスプレイとしては、例えば、公知の有機ＥＬディスプレイ等を好適に用いることができる。
【００３７】
ここで、表示部１２としてＥＬディスプレイを用いる場合、例えばバックライト等の光源を用いることなく画像を表示することができる。そのため、この場合、例えば、表示部１２に柔軟性を適切に持たせることができる。また、表示部１２において画像を表示する領域について、バックライトの位置やサイズ等を考慮することなく設定することも可能になる。また、これにより、例えば、画像の表示の仕方をより柔軟に設定すること等も可能になる。
【００３８】
収納部１４は、表示装置１０を使用しない不使用時等に表示部１２を収納するための部分であり、表示部１２の少なくとも一部を変形させることにより、表示部１２の少なくとも一部を収納する。また、本例において、収納部１４は、表示部１２を収納する収納量を調整可能な構成を有しており、表示部１２において変形させる部分を異ならせることにより、表示部１２において収納部１４に収納される領域の大きさを異ならせる。
【００３９】
また、より具体的に、本例において、収納部１４は、筐体部１０２、軸部１０４、及び先端保持部１０６を有する。筐体部１０２は、収納部１４の筐体部分であり、表示部１２を収納する収納時において、表示部１２の少なくとも一部を内部に収容する。また、筐体部１０２としては、例えば、筒状の部材等を好適に用いることができる。この場合、筒状の部材とは、例えば、表示部１２を収納する部分が中空の筒状になっている部材のことである。
【００４０】
軸部１０４は、筐体部１０２の内部に配設された軸部材であり、筐体部１０２内で回転することにより、表示部１２の一端側から表示部１２を巻き取る。また、これにより、本例において、収納部１４は、一端側から表示部１２を巻き取って、表示部１２を収納する。
【００４１】
先端保持部１０６は、表示部１２の他端側を支持する部材である。また、本例において、先端保持部１０６は、例えば、筐体部１０２における表示部１２の出口を塞ぐ蓋状の部材であり、筐体部１０２内に表示部１２が全て収納された場合に、筐体部１０２の出口を塞ぐ。先端保持部１０６は、表示部１２の他端側を補強する補強部材であってよい。また、先端保持部１０６は、例えば、表示部１２の動作を制御する制御回路の一部等を内部に格納してもよい。
【００４２】
本例によれば、例えば、表示部１２を収納部１４に適切に収納できる。また、この場合、例えば、表示部１２を巻き取る量を適宜調整することにより、表示部１２において変形させる部分を異ならせ、表示部１２において収納部１４内に収納される領域を変化させることができる。また、これにより、表示部１２において収納部１４から引き出されている非収納領域の大きさを様々に変化させることができる。
【００４３】
尚、上記において説明をしたように、本例において、収納部１４は、表示部１２を巻き取ることにより、表示部１２を収納する。そのため、図１（ａ）においては、収納部１４の特徴をわかりやすくするため、表示装置１０の構成について、断面の様子の概略を示している。また、この図では、図示の便宜上、表示部１２が巻かれた状態について、複数の同心円を描くことで簡略化して示している。
【００４４】
また、表示部１２は、例えば公知の引き下ろしカーテンや遮光カーテンと同一又は同様にして収納部１４から引き出されてよい、この場合、例えば、表示部１２の２度引きを行うことで表示部１２を収納部１４に収納すること等が考えられる。このように構成すれば、例えば、筒状の筐体部１０２内で巻かれている表示部１２について、必要な量だけ引き出し、かつ、固定することができる。
【００４５】
また、上記においても説明をしたように、本例において、表示装置１０は、例えば広告用の画像や、各種の案内等を表示する。この場合、表示装置１０を設置する向きは、表示する画像に合わせて、適宜設定することが好ましい。図１（ｂ）、（ｃ）は、表示装置１０の設置の仕方の一例を示す。
【００４６】
図１（ｂ）は、表示部１２を下から上へ向かって収納部１４から引き出す場合の設置例を示す。この場合、例えば補助棒２０等を用いて、表示部１２を支えることが好ましい。図１（ｃ）は、表示部１２を上から下へ向かって収納部１４から引き出す場合の設置例を示す。この場合、例えば、公知のプロジェクタスクリーン等と同様に表示装置１０を設置すること等が考えられる。
【００４７】
尚、図１（ｃ）においては、表示装置１０の構成として、表示部１２の側端部に補強用の部材である端部補強部材１１２を配設した構成を図示している。端部補強部材１１２を用いることにより、収納部１４から引き出した表示部１２の形状をより適切に安定させることができる。また、上記及び以下において説明する他の構成の表示装置１０においても同様に端部補強部材１１２を用いてもよい。また、使用時に表示装置１０を設置する向きは、図１（ｂ）、（ｃ）に示した向きに限らず、例えば横向き等にしてもよい。
【００４８】
続いて、表示装置１０の機能構成の一例について、説明をする。図２は、表示装置１０の機能構成の一例を示す。
【００４９】
上記においては、表示装置１０の特徴の一つである収納部１４に表示部１２を収納する点について説明をするため、表示装置１０の一部の構成のみに着目して、説明を行った。しかし、上記においても説明をしたように、表示装置１０は、表示部１２及び収納部１４以外に、例えば電力供給や画像の表示を制御するための構成等を更に備える。これらの構成は、例えば、収納部１４内に配設される。また、例えば、これらのうちの一部の構成は、収納部１４の外部に配設されてもよい。
【００５０】
より具体的に、本例において、表示装置１０は、表示部１２及び収納部１４に加え、電源部２０２、領域検知部２０４、設置方向検知部２０６、画像出力部２０８、及び表示制御部２１０を更に備える。電源部２０２は、表示装置１０の各部へ電力を供給するための構成であり、例えば収納部１４の筐体部１０２（図１参照）内に配設され、表示部１２において収納部１４に収納されている端部の側から各部へ電力を供給する。
【００５１】
また、本例において、電源部２０２としては、バッテリを用いる。この場合、バッテリとは、外部から電力の供給を受けることなく他の構成に電力を供給可能な電池のことである。このように構成すれば、例えば、様々な場所で表示装置１０を適切に用いることができる。
【００５２】
領域検知部２０４は、表示部１２において収納部１４に収納されていない非収納領域を検知する検知部である。また、本例において、領域検知部２０４は、表示部１２において収納部１４の筐体部１０２の外部へ引き出されている量を検知することにより、非収納領域を検知する。この場合、より具体的に、筐体部１０２の外部に引き出されている量とは、例えば、表示部１２において筐体部１０２の外部に引き出されている部分の長さのことである。また、表示部１２の長さとは、例えば、筐体部１０２から表示部１２を引き出す方向における長さのことである。また、非収納領域を検知するとは、例えば、非収納領域の大きさを検知することである。非収納領域を検知するとは、例えば、非収納領域に表示可能な画像の最大サイズを検知すること等であってもよい。また、領域検知部２０４の具体的な構成や、検知の方法については、後に更に詳しく説明をする。
【００５３】
設置方向検知部２０６は、表示装置１０が設置されている向きを検知する検知部である。この場合、表示装置１０が設置されている向きを検知するとは、例えば、表示装置１０を視認する観察者に対する表示部１２の向きについて、縦向き又は横向きのいずれであるかを検知すること等であってよい。また、設置方向検知部２０６は、例えば、重力方向に対する表示部１２の向き等を検知してもよい。
【００５４】
画像出力部２０８は、表示部１２に表示すべき画像を示す画像データを出力するデータ出力部である。また、本例において、画像出力部２０８は、画像データを表示制御部２１０へ出力することにより、表示部１２への画像表示の制御を表示制御部２１０に行わせる。
【００５５】
この場合、画像出力部２０８は、例えば、記憶装置等に予め記憶している画像データを表示制御部２１０に出力してよい。また、例えば、外部のＰＣや携帯端末機器（例えばスマートフォン等）から受け取った画像データを表示制御部２１０へ出力してもよい。また、例えば、画像データが格納されたメモリカード等を介して外部から画像データを受け取り、表示制御部２１０へ出力してもよい。
【００５６】
表示制御部２１０は、表示部１２に画像を表示させる制御を行う制御部である。表示制御部２１０は、例えば表示装置１０のＣＰＵ等であってよい。また、本例において、表示制御部２１０は、領域検知部２０４により検知された表示部１２の非収納領域に合わせて表示領域を設定して、表示領域内に画像を表示させる。
【００５７】
この場合、表示領域を非収納領域に合わせて設定するとは、例えば、非収納領域の大きさに応じた大きさの表示領域を設定することである。より具体的に、表示制御部２１０は、例えば、非収納領域の少なくとも一部を表示領域として設定することにより、非収納領域内に表示領域を設定する。また、表示制御部２１０は、例えば、非収納領域がより大きい場合に表示領域がより大きくなるように、表示領域を設定する。表示制御部２１０は、非収納領域の全体を表示領域に設定してもよい。
【００５８】
また、表示制御部２１０は、非収納領域に収まる最大の大きさの表示領域を設定することが好ましい。この場合、表示制御部２１０は、例えば非収納領域の形状と、画像のアスペクト比等との関係に基づき、非収納領域に収まる最大の大きさを判断することが好ましい。また、この場合、予め設定された余裕（マージン）分の領域等を考慮して、表示領域を設定してよい。
【００５９】
また、本例において、表示制御部２１０は、設置方向検知部２０６により検知される表示装置１０の向きに更に基づき、表示領域を設定する。この場合、非収納領域に収まる最大の大きさの表示領域について、表示装置１０の向きに合わせて画像を表示する場合に非収納領域に収まるように設定することが好ましい。
【００６０】
本例によれば、例えば、画像の表示領域を表示部１２における非収納領域に合わせて適切に設定できる。また、例えば、表示部１２において収納部１４に収納する領域を様々に異ならせた場合にも、非収納領域の大きさに合わせた画像の表示をより適切に行うことができる。また、これにより、例えば、表示装置１０を使用する状況等に合わせた画像の表示をより適切に行うことができる。非収納領域の大きさに合わせた画像の表示については、後に更に詳しく説明をする。
【００６１】
また、本例においては、非収納領域に合わせて表示領域を設定することにより、表示部１２の全体の中から、必要な領域のみを選択して画像を表示することができる。そして、この場合、例えば表示部１２の全体に画像を表示する場合と比べ、消費電力を抑えることができる。そのため、本例によれば、例えば、消費電力を抑えて、より適切に画像を表示することができる。また、本例のように、バッテリである電源部２０２から供給される電力を利用して表示部１２に画像を表示する場合、消費電力を抑えることにより、画像の表示をより長時間行うこと等も可能になる。
【００６２】
尚、上記においては、表示領域の設定の仕方について、非収納領域内に表示領域を設定する場合について、説明をした。しかし、表示領域の設定の仕方の変形例においては、例えば、収納部１４に収納されている領域の一部を含むように表示領域を設定すること等も考えられる。より具体的には、例えば、収納部１４に一部が隠れた状態で画像を表示する場合等において、収納部１４に収納されている領域の一部から非収納領域へ続く領域を表示領域に設定すること等も考えられる。
【００６３】
また、本例において、表示部１２に設定する表示領域は、表示装置１０を視認する観察者に見せるための画像を表示するために領域である。そのため、例えば管理用の用途等により、観察者に見せない管理用の画像等を更に表示する場合、例えば収納部１４に収納されている部分等において、上記の表示領域以外の領域に更に画像を表示すること等も考えられる。そのため、このような画像を表示する場合も、本例の表示装置１０と同様の特徴を有する構成と考えることができる。
【００６４】
続いて、表示部１２による画像表示の制御について、非収納領域の大きさに合わせた画像の表示の具体例を用いて説明をする。図３は、非収納領域の大きさや向きを様々に異ならせた状態の例を示す。図３（ａ）、（ｂ）、（ｃ）は、非収納領域の大きさ又は向きをそれぞれ異ならせた状態の例を示す。
【００６５】
図３（ａ）は、幅がＷの表示部１２を備える表示装置１０を横向きに設置し、かつ、表示部１２を大きく引き出した状態の一例を示す。この場合、表示装置１０を横向きに設置するとは、表示部１２を引き出す方向が水平方向になる向きで表示装置１０を設置することである。また、図３（ａ）に示した場合においては、引き出した量がＬ１になるように、表示部１２を収納部１４から引き出している。そのため、非収納領域は、横方向（水平方向）がＬ１、縦方向（重力方向）がＷの領域になる。
【００６６】
また、図３（ｂ）は、表示装置１０を横向きに設置し、かつ、表示部１２をＬ１よりも小さく引き出した状態の一例を示す。より具体的に、図３（ｂ）に示した場合においては、引き出した量がＬ１よりも小さなＬ２になるように、表示部１２を収納部１４から引き出している。そのため、非収納領域は、横方向がＬ２、縦方向がＷの領域になる。
【００６７】
また、図３（ｃ）は、表示装置１０を縦向きに設置した状態の一例を示す。この場合、表示装置１０を縦向きに設置するとは、表示部１２を引き出す方向が重力方向と平行になる向きで表示装置１０を設置することである。より具体的に、図３（ｃ）に示した場合においては、引き出した量がＬ３になるように、表示部１２を収納部１４から引き出している。そのため、非収納領域は、横方向がＷ、縦方向がＬｌの領域になる。
【００６８】
以上のような様々な状態に対し、本例においては、例えば、それぞれの場合の非収納領域の向きや大きさに合わせて、表示部１２に画像を表示させる。この場合、表示制御部２１０（図２参照）は、例えば、表示部１２に表示すべき画像について、領域検知部２０４（図２参照）により検知される非収納領域の大きさに応じた倍率で拡大又は縮小して、表示領域に表示させる。この場合、非収納領域の大きさに応じた倍率で画像を拡大又は縮小するとは、例えば、非収納領域が所定の基準の大きさよりも大きい場合には画像を拡大し、非収納領域が所定の基準の大きさよりも小さい場合には画像を縮小することであってよい。このように構成すれば、例えば、表示部１２の引き出し量がより大きな場合により大きな画像を表示するように、画像表示の倍率を決定できる。
【００６９】
また、本例において、表示制御部２１０は、設置方向検知部２０６（図２参照）により検知される表示部１２の向きに更に基づき、画像を拡大又は縮小する倍率を決定する。この場合、表示制御部２１０は、表示部１２が設置されている向きに合わせて、画像の向きを適宜変更することが好ましい。この場合、例えば、画像の上下方向を観察者に合わせるように、画像を回転させることが考えられる。より具体的には、例えば、図３（ｃ）に示した場合について、図３（ａ）、（ｂ）に示した場合と比べて、画像を９０°回転させることが好ましい。
【００７０】
本例によれば、例えば、表示部１２を引き出す量や表示部１２の向きに合わせて、画像をより適切に表示させることができる。また、これにより、例えば、表示部１２の柔軟性を活かした画像の表示をより適切に行うことができる。
【００７１】
また、この場合、より具体的な応用例として、例えば、必要に応じて表示部１２をより多く引き出すことで、画像の自動的な拡大を行うこと等が考えられる。また、表示部１２を引き出す量について、表示装置１０を使用する状況に合わせて調整し、表示する画像のサイズを選択すること等も考えられる。例えば、狭い場所で表示装置１０を使用する場合や、表示装置１０を視認する観察者の人数が少ない場合には表示部１２を引き出す量を少なくし、広い場所で使用する場合や、観察者の人数が多い場合には表示部１２を引き出す量を多くして、使用状況に合わせたサイズで画像を表示すること等も考えられる。
【００７２】
また、画像の表示の制御の他の例においては、例えば、表示の倍率は変えずに、表示領域の大きさのみを変化させることも考えられる。この場合、例えば、非収納領域が小さい場合には部分的な画像のみを表示し、表示部１２を引き出す量を増やすことにより、より多くの部分を示す画像を表示すること等が考えられる。このように構成すれば、例えば、表示部１２を引き出す量に応じて、表示領域に表示する情報量を異ならせること等ができる。また、表示装置１０の使用時において、例えば、より多くの情報量を同時に見たい場合には表示部１２をより多く引き出すような使い方等が考えられる。
【００７３】
また、上記において説明をした制御の例においては、表示部１２に表示すべき画像について、表示部１２の引き出し量や表示部１２の向きによらず同じ画像を用いることが考えられる。しかし、画像の表示の制御の更なる他の例においては、例えば、表示部１２を引き出す量等に応じて、表示すべき画像自体を変化させること等も考えられる。
【００７４】
より具体的に、この場合、例えば、表示部１２に表示すべき画像として、非収納領域の大きさとそれぞれ対応付けられた複数の画像である複数のサイズ対応画像を予め用意することが考えられる。また、この場合、表示制御部２１０は、例えば、領域検知部２０４により検知される非収納領域の大きさに基づき、その大きさに対応するサイズ対応画像を選択し、表示部１２に表示させる。
【００７５】
このように構成した場合、例えば、非収納領域の大きさを変化させることにより、表示領域に表示する画像を自動的に切り替えること等が可能になる。また、これにより、例えば、収納部１４に表示部１２を収納する動作や、収納部１４から表示部１２を引き出す動作等に連動させて、画像を自動的に切り替えることができる。
【００７６】
ここで、本例の表示装置１０により得られる様々な効果について、従来の構成との対比等を行って、更に詳しく説明をする。従来、屋外等で画像を表示するための構成としては、ペンキ等で絵が描かれた看板（大型看板等）が広く用いられている。しかし、このような看板の場合、表示内容が全て描かれている構成であるため、表示内容を変更するためには、一度表示内容を除去し、再度描く必要がある。
【００７７】
これに対し、近年、大型看板等に代わる構成として、画像データに基づいて画像を表示する大型の液晶ディスプレイ等も用いられている。しかし、この場合も、画像の表示領域は、液晶画面等の画面サイズに依存した固定のサイズになる。そのため、例えば小さい画像のみを表示したい場合等でも、装置のサイズの調整等を行うことはできない。
【００７８】
また、大型看板や液晶ディスプレイ等を用いる場合、ある程度以上の大きさの画像を表示するためには、サイズ及び重量が大きな構成を用いることが必要になる。また、その結果、このような場合、通常、移動できない固定位置に設置されることになる。また、大型看板や液晶ディスプレイは、平坦状のまま変形不可能な構成であるため、例えば使用しない場合に倉庫等に収納するとしても、多くの場所を占めることになる。
【００７９】
これに対し、本例においては、上記においても説明をしたように、広告の表示等に用いる表示装置１０について、湾曲等の変形が可能な表示部１２を用い、かつ、巻き取り等により収納部１４に収納可能な構成とすることにより、例えば、表示内容を容易に変更することが可能であり、かつ、省スペースでの収納等が可能な構成を実現できる。また、この場合、例えば、装置をより適切に小型化できるため、少人数（例えば一人）で表示装置１０を移動させること等も可能になる。
【００８０】
また、本例においては、更に、領域検知部２０４により表示部１２の非収納領域を検知することにより、表示部１２における表示領域の大きさを可変にしている。この場合、非収納領域内に設定された表示領域のみに画像を表示させる点灯制御を行うことにより、消費電力を適切に抑えることができる。そのため、本例によれば、例えば、広告の表示等に用いる表示装置１０について、従来の構成にはない特徴を持った新機能表示装置（ディスプレイ）を適切に実現できる。
【００８１】
また、本例の表示装置１０は、広告の表示等以外の用途にも様々に利用することができる。例えば、表示装置１０により、店舗での商品の説明や、料理店でのメニューの紹介等を行うことも考えられる。この場合も、説明や紹介を行う環境や、表示内容に応じて、表示部１２を引き出す量を様々に調整することが考えられる。また、これにより、環境や表示内容に適した条件で様々な情報を表示することができる。また、店舗等で用いる場合には、例えば、店頭に表示装置１０を設置して、営業時間と閉店時間とで表示部１２を引き出す量を異ならせ、それに応じて自動的に表示内容を切り替えること等も考えられる。また、これらの場合、例えば表示部１２を引き出す量に応じて表示内容を変化させることにより、多彩な情報を様々な方法で提供することができる。また、例えば、表示部１２を引き出す量に応じて画面の明るさを変化させること等も考えられる。
【００８２】
また、本例においては、バッテリを用いた構成で表示部１２に画像を表示することにより、例えばイベント会場や工事現場等の様々な利用シーンにおいて、電源供給を気にすることなく、より容易に表示装置１０を用いることができる。また、この場合、上記のように省電力化が可能であるため、より長時間の画像表示が可能になる。
【００８３】
また、表示装置１０の構成は、例えば携帯端末等のより小型の機器用の表示装置として用いること等も考えられる。より具体的には、例えば、ＰＣ（例えば携帯用のノートＰＣ）や、携帯電話等の画面表示用に用いること等も考えられる。これらの場合も、例えば、表示部の柔軟性を活かした画像の表示をより適切に行うことができる。
【００８４】
続いて、表示装置１０のより具体的な構成に関し、領域検知部２０４の具体的な構成や、検知の方法の例について説明をする。図４は、領域検知部２０４の具体的な構成及び検知の方法の例を示す。
【００８５】
図４（ａ）は、領域検知部２０４の第１の例を示す。この場合において、表示装置１０は、複数の幅検知用部材３０２ａ〜ｃを更に備える。複数の幅検知用部材３０２ａ〜ｃは、表示部１２の幅を検知するための部材であり、表示部１２の側面に配設されることにより、表示部１２が引き出された量に応じて、表示部１２と幅検知用部材３０２ａ〜ｃとの合計幅を異ならせる。また、これにより、幅検知用部材３０２ａ〜ｃは、表示部１２を引き出した距離と幅との間に所定の関係を持たせる。また、この場合、領域検知部２０４としては、所定の位置で上記の合計幅を測定するセンサ等を好適に用いることできる。領域検知部２０４を配設する位置は、例えば、収納部１４の筐体部１０２における表示部１２の出口近傍にすることが好ましい。
【００８６】
このように構成すれば、例えば、表示部１２を引き出した距離と幅との間の関係に基づき、表示部１２が引き出された量を適切に検知できる。また、これにより、非収納領域の大きさを適切に検知できる。尚、幅検知用部材としては、図示した構成に限らず、例えば連続的に幅が変化する部材等を用いることもできる。
【００８７】
図４（ｂ）は、領域検知部２０４の第２の例を示す。この場合において、表示装置１０は、表示部１２の側面に沿って配設されたスケール３０４を更に備える。また、この場合、領域検知部２０４としては、所定の位置でスケールを読み取るセンサ等を好適に用いることができる。このように構成すれば、例えば、領域検知部２０４によるセンサの読み取り結果に基づき、表示部１２が引き出された量を適切に検知できる。また、これにより、非収納領域の大きさを適切に検知できる。
【００８８】
図４（ｃ）は、領域検知部２０４の第３の例を示す。この場合において、領域検知部２０４は、表示部１２に形成された溝３０８に係合する針部を有しており、針部の位置に基づき、表示部１２が引き出された量を検知する。この針部は、表示部１２の側面の領域と対向する位置において、表示部１２の引き出し方向への移動は規制されていると共に、引き出し方向と交差（直交）する方向へは移動可能に保持されている。また、図示は省略したが、領域検知部２０４は、引き出し方向と交差する方向における針部の位置を検知するセンサを更に有する。
【００８９】
また、この構成において、表示部１２は、領域検知部２０４の針部と対向する側面側に、溝形成部３０６を有する。溝形成部３０６は、表示部１２において溝３０８が形成される部分である。また、溝形成部３０６において、溝３０８は、図示したように、表示部１２の引き出し方向に対して傾斜するように形成されている。
【００９０】
そして、このような構成において、表示部１２の引き出し量を変化させた場合、溝３０８と係合している領域検知部２０４の針部は、引き出し量に応じて、引き出し方向と交差する方向に移動することになる。そのため、例えば針部の位置をセンサで検知することにより、表示部１２が引き出された量を適切に検知することができる。また、これにより、非収納領域の大きさを適切に検知できる。
【００９１】
尚、この場合、例えば、表示装置１０の製造時等に予め対応付けられた針部の位置と引き出し量との関係に基づき、表示部１２が引き出された量を検知してよい。このように構成すれば、例えば、表示部１２が引き出された量を適切に検知することができる。
【００９２】
図４（ｄ）は、領域検知部２０４の第４の例を示す。この場合、領域検知部２０４は、例えば収納部１４の筐体部１０２内に配設され、筐体部１０２内で巻かれている表示部１２の厚みを検知する。このように構成すれば、例えば、検知した厚みに基づき、軸部１０４の周りに表示部１２が何周巻かれているかを算出することができる。また、この算出結果に基づき、表示部１２が引き出された量を検知できる。そのため、このように構成した場合も、非収納領域の大きさを適切に検知できる。
【００９３】
尚、図示した場合において、領域検知部２０４は、筐体部１０２における表示部１２の出口付近に配設されている。しかし、収納部１４において、表示部１２の出口付近には、表示部１２を円滑に引き出すための機構等を設ける場合もある。また、このような機構等を用いた場合、表示部１２の厚みを検知しにくくなるおそれもある。
【００９４】
そのため、このような場合には、表示部１２の出口からより離れた位置に領域検知部２０４を配設することが好ましい。例えば、領域検知部２０４について、軸部１０４を挟んで表示部１２の出口と反対側になる位置（図中の上側）に配設すること等が考えられる。
【００９５】
続いて、表示装置１０の構成の様々な変形例について、説明をする。図５は、表示装置１０の構成の様々な変形例を示す。尚、以下に説明をする点を除き、図５において、図１〜４と同じ符号を付した構成は、図１〜４における構成と同一又は同様の特徴を有してよい。
【００９６】
図５（ａ）〜（ｃ）は、両巻き型の表示装置１０の例を示す。図５（ａ）は、両巻き型の表示装置１０の構成の一例を示す。図５（ｂ）、（ｃ）は、表示装置１０を使用する様子の一例を示す。
【００９７】
上記においては、主に、表示部１２の一方側からのみ表示部１２を巻き取る片巻き型の表示装置１０について、説明をした。しかし、収納部１４は、例えば、図示したように構成により、一端側及び他端側の両端からそれぞれ表示部１２を巻き取ってもよい。また、この場合、表示部１２を引き出す方向を横方向にして、例えば図５（ｂ）に示すように横型配置で使用することや、表示部１２を引き出す方向を縦方向にして、例えば図５（ｃ）に示すように縦型配置で使用すること等が考えられる。この場合も、例えば図１〜４を用いて説明をした場合と同様に、表示部１２の非収納領域に合わせて表示領域を設定することが考えられる。また、これにより、例えば、図１〜４を用いて説明をした場合と同様の効果を得ることができる。
【００９８】
図５（ｄ）は、デュアルディスプレイ型の表示装置１０の構成の例を示す。上記においては、主に、一の表示部１２のみを用いて画像を表示するシングルディスプレイ型の構成について、説明をした。しかし、表示装置１０の構成の更なる変形例においては、例えば図中に示すように、複数の表示部１２を用いたデュアルディスプレイ型の構成を用いることも考えられる。この場合も、例えば図１〜４を用いて説明をした場合と同様に、表示部１２の非収納領域に合わせて表示領域を設定することが考えられる。また、これにより、例えば、図１〜４を用いて説明をした場合と同様の効果を得ることができる。
【００９９】
また、表示装置１０の構成の更なる変形例においては、表示部１２の収納について、巻き取り以外の方法で行うこと等も考えられる。図６は、表示装置１０の構成の更なる変形例を示す。尚、以下に説明をする点を除き、図６において、図１〜５と同じ符号を付した構成は、図１〜５における構成と同一又は同様の特徴を有してよい。
【０１００】
図６（ａ）は、折り畳み方式で表示部１２を収納する場合の表示装置１０の構成の例を示す。この場合、表示部１２としては、図中に示すように、主表面と垂直な方向における一方側及び他方側への折り曲げ変形が可能な構成を用いる。この場合、主表面と垂直な方向とは、例えば、表示部１２を折り畳まずに伸ばした状態において表示部１２の表示面と垂直になる方向のことである。また、この構成において、収納部１４は、例えば一方側の面が開いた箱状の筐体部１０２を有する。そして、収納部１４は、例えば、表示部１２の少なくとも一部を筐体部１０２内で折り畳むことにより、表示部１２の少なくとも一部を収納する。
【０１０１】
このように構成した場合も、例えば、収納部１４に表示部１２を適切に収納することができる。また、この場合も、例えば図１〜４を用いて説明をした場合と同様に、表示部１２の非収納領域に合わせて表示領域を設定することが考えられる。また、これにより、例えば、図１〜４を用いて説明をした場合と同様の効果を得ることができる。
【０１０２】
また、収納部１４の構成としては、例えば、筐体部１０２の内部の空洞に収納する以外の方法で表示部１２を収納すること等も考えられる。図６（ｂ）〜（ｄ）は、円錐巻き取り方式で表示部１２を収納する場合の表示装置１０の構成の例を示す。図６（ｂ）、（ｃ）、（ｄ）は、表示装置１０の斜視図、上面図、及び側断面図である。
【０１０３】
この場合、表示部１２としては、例えば図６（ｂ）に示すような、扇子状に広がる形状の構成を用いる。また、収納部１４は、円錐状の巻き取り芯により構成されており、巻き取り芯の周囲に表示部１２の少なくとも一部を巻き取ることにより、表示部１２の少なくとも一部を収納する。この場合、円錐状の巻き取り芯とは、例えば、軸方向と直交する断面形状が円型であり、かつ、軸方向の一方側から他方側へ向かって円の半径が徐々に小さくなる形状の巻き取り芯のことである。また、軸方向と直交する断面形状とは、例えば、軸方向と直交する平面と巻き取り芯の側面とが交わる部分の形状のことである。また、より具体的に、円錐状の巻き取り芯とは、例えば、円錐形又は円錐台形の巻き取り芯であってよい。
【０１０４】
このように構成した場合も、例えば、収納部１４に表示部１２を適切に収納することができる。また、この場合も、例えば図１〜４を用いて説明をした場合と同様に、表示部１２の非収納領域に合わせて表示領域を設定することが考えられる。また、これにより、例えば、図１〜４を用いて説明をした場合と同様の効果を得ることができる。
【０１０５】
また、上記においては、主に、表示部１２に画像を直接表示させる場合について、説明をした。しかし、更なる変形例においては、表示部１２により直接画像を表示するのではなく、表示部１２を光源として用いること等も考えられる。この場合、例えば、表示部１２上に予め画像を描き、表示部１２を変形可能なバックライトとして用いること等が考えられる。この場合も、表示部１２の非収納領域に合わせて表示領域（発光領域）を設定して、表示部１２を点灯させることにより、表示部１２の非収納領域に画像を適切に表示することができる。また、この場合も、表示部１２の一部を選んで点灯させることにより、例えば、図１〜４を用いて説明をした場合と同様の効果を得ることができる。
【０１０６】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【０１０７】
本発明は、例えば表示装置に好適に利用できる。
【符号の説明】
【０１０８】
１０・・・表示装置、１２・・・表示部、１４・・・収納部、２０・・・補助棒、１０２・・・筐体部、１０４・・・軸部、１０６・・・先端保持部、１１２・・・端部補強部材、２０２・・・電源部、２０４・・・領域検知部、２０６・・・設置方向検知部、２０８・・・画像出力部、２１０・・・表示制御部、３０２・・・幅検知用部材、３０４・・・スケール、３０６・・・溝形成部、３０８・・・溝
【図２】
2016218326.tif 000003
【図３】
2016218326.tif 000004
【図６】
2016218326.tif 000005
【図１】
2016218326.tif 000006
【図４】
2016218326.tif 000007
【図５】
2016218326.tif 000008